【手続補正書】
【提出日】平成22年6月30日(2010.6.30)
【手続補正１】
【補正対象書類名】特許請求の範囲
【補正対象項目名】全文
【補正方法】変更
【補正の内容】
【特許請求の範囲】
【請求項１】
第１のピンおよび第２のピンを有する第１〜第Ｎ（Ｎは値３以上の整数）の被装着側コネクタに、前記第１のピンおよび第２のピンにそれぞれ対応した第３のピンおよび第４のピンを有する第１〜第Ｎの装着側コネクタがそれぞれ装着される際、コネクタの接続を検知するコネクタ接続検知装置であって、
前記第１〜第Ｎの被装着側コネクタのうち、前記第１の被装着側コネクタの前記第１のピンを第１の抵抗を介して電源に接続するとともに、前記第１の被装着側コネクタの前記第２のピンを第２の抵抗を介してグランドに接続し、
前記第２〜第Ｎ−１の被装着側コネクタの前記第１のピンをそれぞれ前記第１〜第Ｎ−２の被装着側コネクタの前記第２のピンに接続し、前記第２〜第Ｎ−１の被装着側コネクタの前記第２のピンをそれぞれ第３の抵抗〜第Ｎの抵抗を介してグランドに接続し、
第Ｎの被装着側コネクタの前記第２のピンを直接もしくは第Ｎ＋１の抵抗を介してグランドに接続するとともに、前記第Ｎの被装着側コネクタの前記第１のピンを前記第Ｎ−１の被装着側コネクタの前記第２のピンに接続し、
前記第１〜第Ｎの装着側コネクタのそれぞれの前記第３のピンと前記第４のピンとを導通させて構成され、
前記第１の被装着側コネクタの前記第１のピンの電圧レベルを検出する電圧検出手段と、
前記電圧検出手段により検出された電圧レベルに応じて、前記第１〜第Ｎの被装着側コネクタの各々の接続状況を検知する接続状況検知手段とを備えたことを特徴とするコネクタ接続検知装置。
【請求項２】
第１のピンおよび第２のピンを有する第１〜第Ｎ（Ｎは値３以上の整数）の被装着側コネクタに、前記第１のピンおよび第２のピンにそれぞれ対応した第３のピンおよび第４のピンを有する第１〜第Ｎの装着側コネクタがそれぞれ装着される際、コネクタの接続を検知するコネクタ接続検知装置であって、
前記第１〜第Ｎの被装着側コネクタのうち、前記第１の被装着側コネクタの前記第１のピンを第１の抵抗を介して電源に接続するとともに、前記第１の被装着側コネクタの前記第２のピンを第１のコンデンサを介してグランドに接続し、
前記第２〜第Ｎ−１の被装着側コネクタの前記第１のピンをそれぞれ前記第１〜第Ｎ−２の被装着側コネクタの前記第２のピンに接続し、前記第２〜第Ｎ−１の被装着側コネクタの前記第２のピンをそれぞれ第２のコンデンサ〜第Ｎ−１のコンデンサを介してグランドに接続し、
第Ｎの被装着側コネクタの前記第２のピンを第Ｎのコンデンサを介してグランドに接続するとともに、前記第Ｎの被装着側コネクタの前記第１のピンを前記第Ｎ−１の被装着側コネクタの前記第２のピンに接続し、
前記第１〜第Ｎの装着側コネクタのそれぞれの前記第３のピンと前記第４のピンとを導通させて構成され、
前記第１の被装着側コネクタの前記第１のピンの電圧立ち上がり時間を計測する立ち上がり時間計測手段と、
前記時間計測手段により計測された電圧立ち上がり時間に応じて、前記第１〜第Ｎの被装着側コネクタの各々の接続状況を検知する接続状況検知手段とを備えたことを特徴とするコネクタ接続検知装置。
【請求項３】
前記第２〜第Ｎの抵抗は全て同じ抵抗値を有することを特徴とする請求項１記載のコネクタ接続検知装置。
【請求項４】
前記第３〜第Ｎの抵抗はそれぞれ前記第２〜第Ｎ−１の抵抗と同じ抵抗値もしくはそれより小さい抵抗値を有することを特徴とする請求項１記載のコネクタ接続検知装置。
【請求項５】
前記第１〜第Ｎのコンデンサは全て同じ容量値を有することを特徴とする請求項２記載のコネクタ接続検知装置。
【請求項６】
前記第２〜第Ｎのコンデンサはそれぞれ前記第１〜第Ｎ−１のコンデンサと同じ容量値もしくはそれより大きな容量値を有することを特徴とする請求項２記載のコネクタ接続検知装置。
【請求項７】
前記第１〜第Ｎの被装着側コネクタは制御基板に実装され、前記制御基板を搭載する装置は表示装置を有し、
前記接続状況検知手段によって、前記第１〜第Ｎの被装着側コネクタのいずれかが未接続状態であると検知された場合、その警告表示を行う警告表示手段を備えたことを特徴とする請求項１乃至６のいずれかに記載のコネクタ接続検知装置。
【請求項８】
前記警告表示手段によって警告表示が行われた場合、前記装置の動作を禁止することを特徴とする請求項７記載のコネクタ接続検知装置。
【請求項９】
前記第１〜第Ｎの被装着側コネクタは装置内の制御基板に実装され、
前記接続状況検知手段によって検知された、前記第１〜第Ｎの被装着側コネクタの未接続状態に応じて、前記装置の動作を少なくとも一部禁止することを特徴とする請求項１乃至６のいずれかに記載のコネクタ接続検知装置。
【請求項１０】
前記第１のピンおよび前記第２のピンはコネクタ両端のピンであることを特徴とする請求項１乃至９のいずれかに記載のコネクタ接続検知装置。
【手続補正２】
【補正対象書類名】明細書
【補正対象項目名】発明の名称
【補正方法】変更
【補正の内容】
【発明の名称】コネクタ接続検知装置
【手続補正３】
【補正対象書類名】明細書
【補正対象項目名】０００１
【補正方法】変更
【補正の内容】
【０００１】
本発明は、複数のコネクタの接続を検知するコネクタ接続検知装置に関する。
【手続補正４】
【補正対象書類名】明細書
【補正対象項目名】００１０
【補正方法】変更
【補正の内容】
【００１０】
そこで、本発明は、装置が異常動作を行ってしまう前に、複数のコネクタの中から迅速にコネクタ抜け箇所を特定できるコネクタ接続検知装置を提供することを目的とする。
【手続補正５】
【補正対象書類名】明細書
【補正対象項目名】００１１
【補正方法】変更
【補正の内容】
【００１１】
上記目的を達成するために、本発明のコネクタ接続検知装置は、第１のピンおよび第２のピンを有する第１〜第Ｎ（Ｎは値３以上の整数）の被装着側コネクタに、前記第１のピンおよび第２のピンにそれぞれ対応した第３のピンおよび第４のピンを有する第１〜第Ｎの装着側コネクタがそれぞれ装着される際、コネクタの接続を検知するコネクタ接続検知装置であって、前記第１〜第Ｎの被装着側コネクタのうち、前記第１の被装着側コネクタの前記第１のピンを第１の抵抗を介して電源に接続するとともに、前記第１の被装着側コネクタの前記第２のピンを第２の抵抗を介してグランドに接続し、前記第２〜第Ｎ−１の被装着側コネクタの前記第１のピンをそれぞれ前記第１〜第Ｎ−２の被装着側コネクタの前記第２のピンに接続し、前記第２〜第Ｎ−１の被装着側コネクタの前記第２のピンをそれぞれ第３の抵抗〜第Ｎの抵抗を介してグランドに接続し、第Ｎの被装着側コネクタの前記第２のピンを直接もしくは第Ｎ＋１の抵抗を介してグランドに接続するとともに、前記第Ｎの被装着側コネクタの前記第１のピンを前記第Ｎ−１の被装着側コネクタの前記第２のピンに接続し、前記第１〜第Ｎの装着側コネクタのそれぞれの前記第３のピンと前記第４のピンとを導通させて構成され、前記第１の被装着側コネクタの前記第１のピンの電圧レベルを検出する電圧検出手段と、前記電圧検出手段により検出された電圧レベルに応じて、前記第１〜第Ｎの被装着側コネクタの各々の接続状況を検知する接続状況検知手段とを備えたことを特徴とする。
【手続補正６】
【補正対象書類名】明細書
【補正対象項目名】００１２
【補正方法】変更
【補正の内容】
【００１２】
本発明のコネクタ接続検知装置は、第１のピンおよび第２のピンを有する第１〜第Ｎの被装着側コネクタに、前記第１のピンおよび第２のピンにそれぞれ対応した第３のピンおよび第４のピンを有する第１〜第Ｎ（Ｎは値３以上の整数）の装着側コネクタがそれぞれ装着される際、コネクタの接続を検知するコネクタ接続検知装置であって、前記第１〜第Ｎの被装着側コネクタのうち、前記第１の被装着側コネクタの前記第１のピンを第１の抵抗を介して電源に接続するとともに、前記第１の被装着側コネクタの前記第２のピンを第１のコンデンサを介してグランドに接続し、前記第２〜第Ｎ−１の被装着側コネクタの前記第１のピンをそれぞれ前記第１〜第Ｎ−２の被装着側コネクタの前記第２のピンに接続し、前記第２〜第Ｎ−１の被装着側コネクタの前記第２のピンをそれぞれ第２のコンデンサ〜第Ｎ−１のコンデンサを介してグランドに接続し、第Ｎの被装着側コネクタの前記第２のピンを第Ｎのコンデンサを介してグランドに接続するとともに、前記第Ｎの被装着側コネクタの前記第１のピンを前記第Ｎ−１の被装着側コネクタの前記第２のピンに接続し、前記第１〜第Ｎの装着側コネクタのそれぞれの前記第３のピンと前記第４のピンとを導通させて構成され、前記第１の被装着側コネクタの前記第１のピンの電圧立ち上がり時間を計測する立ち上がり時間計測手段と、前記時間計測手段により計測された電圧立ち上がり時間に応じて、前記第１〜第Ｎの被装着側コネクタの各々の接続状況を検知する接続状況検知手段とを備えたことを特徴とする。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
本発明の請求項１に係るコネクタ接続検知装置は、第１の被装着側コネクタの第１のピンの電圧レベルを検出し、検出された電圧レベルに応じて、複数のコネクタの接続状況を検知する。これにより、抵抗により分圧された電圧値に基づき、コネクタの未接続箇所を予め判別することができる。従って、装置が異常動作を行ってしまう前に、迅速に問題箇所を特定することができる。すなわち、コネクタの接続不良がある場合、どのコネクタが抜けているかといった明確な対応を迅速に取ることができる。このように、装置の動作不良の解析効率を向上させることが可能となる。
【手続補正１０】
【補正対象書類名】明細書
【補正対象項目名】００１６
【補正方法】変更
【補正の内容】
【００１６】
請求項２に係るコネクタ接続検知装置は、第１の被装着側コネクタの第１のピンの電圧立ち上がり時間を計測し、この計測された電圧立ち上がり時間に応じて、複数のコネクタの接続状況を検知する。これにより、コンデンサの充電時間に基づき、コネクタの未接続箇所を予め判別することができる。従って、装置が異常動作を行ってしまう前に、迅速に問題箇所を特定することができる。
【手続補正１１】
【補正対象書類名】明細書
【補正対象項目名】００１８
【補正方法】変更
【補正の内容】
【００１８】
本発明のコネクタ接続検知装置の実施の形態について図面を参照しながら説明する。本実施形態のコネクタ接続検知装置は、画像形成装置である電子写真カラー複写機内の制御基板に取り付けられた複数のコネクタの接続検知に適用される。
【手続補正１２】
【補正対象書類名】明細書
【補正対象項目名】０１０７
【補正方法】変更
【補正の内容】
【０１０７】
例えば、前記第２の実施形態では、コンデンサＣ１、Ｃ２、Ｃ３は同じ容量値を有していたが、Ｃ１≦Ｃ２≦Ｃ３となるような容量値を有してもよい。この場合、第２〜第Ｎのコンデンサはそれぞれ第１〜第Ｎ−１のコンデンサと同じ容量値もしくはそれより大きな容量値を有することになる。これにより、立ち上がり時間の差が調整可能となり、コネクタ抜け箇所をより容易に特定することができる。